(57)【要約】      （修正有）【課題】バックルを取り付けた状態と取り外した状態の２種類の使い方でウエスト調整できるベルトを提供する。【解決手段】ベルト本体部２とその両端間に着脱可能なバックル付き短ベルト部３とで構成する。ベルト本体部のベルト帯の一端には折り返し部５ａ，５ｂを形成し、他端側にはベルト帯長さを調節するアジャスター６を構成すると共に角カン１３を介して一端側と同じ折り返し部を取り付ける。各折り返し部の折り返し内側には一対のホック式凹ボタン、凸ボタンを取り付け、その嵌め合わせにより折り返し状態を維持する。バックル付き短ベルト部をバックル１５とその両側に取り付けた短尺ベルト帯１６ａ，１６ｂとで構成し、各短尺ベルト帯の両端部にベルト本体部の折り返し部を挿通可能な角カンを取り付ける。【選択図】図２
0003163611.tif 000002
【実用新案登録請求の範囲】
【請求項１】
ベルト本体部とその両端間に着脱可能なバックル付き短ベルト部からなり、
前記ベルト本体部は伸縮性素材にて形成した長尺ベルト帯の一端に折り返し部を形成し、他端には該端部を折り返して前記ベルト帯の任意の位置に係止させてベルト本体部の全長を調節するアジャスターを構成し、該アジャスターの折り返し端部に角カンを介して前記一端側と同じ折り返し部を取り付け、各折り返し部は折り返し内側に取り付けた一対のホック式凹ボタン、凸ボタンを嵌め合わせて折り返し状態を維持するように構成してあり、
前記バックル付き短ベルト部はバックルとその両側に取り付けた一対の短尺ベルト帯とからなり、各短尺ベルト帯における前記バックルとは反対側端部に前記ベルト本体部の折り返し部を挿通可能な角カンを取り付けて構成してあり、
前記バックル付き短ベルト部を前記ベルト本体部に取り付けて使用する際は前記短尺ベルト帯に取り付けた角カンにベルト本体部の折り返し部を展開状態にて挿通して折り返し、前記ボタンを嵌め合わせて折り返し状態を維持させ、
前記ベルト本体部のみで使用する際はベルト本体部の各折り返し部の折り返し内側にズボンの前部開閉部両側のベルト通しを挟んだ状態で前記ボタンを嵌め合わせて折り返し状態を維持させることを特徴とするベルト。
【請求項２】
請求項１に記載のベルトにおいて、前記ベルト本体部における両端の折り返し部は、前記ベルト帯に非伸縮性素材からなるシート材を縫い付けて端部を延長し、該延長部のシート材の折り返し内側に前記一対のホック式凹ボタン、凸ボタンを取り付けて構成してあることを特徴とするベルト。
【考案の詳細な説明】
【技術分野】
【０００１】
本考案は、ズボン前部にバックルを配さないウエスト調整用ベルトとして、また、バックルを配する従来の洋服ベルトとして使用可能なベルトに関する。
【背景技術】
【０００２】
ズボン類に使用されるベルトは各人のウエストサイズにジャストフィットしていないズボン類のずり落ち防止と、ファッション性を目的としたものである。従来のベルトはベルト本体の紐の片側に取り付けたバックルにベルト紐を通してループを形成し、バックル、あるいはベルト本体に設けたアジャスターにより長さをウエストサイズに調節するものである。
【０００３】
しかし、こうしたバックルを使用してループを形成するベルトではズボン類の上げ下ろしや前面部の開閉の際にベルトを緩めたり締めたり、バックルに通したり外したりする操作が必要であり、低年齢の児童や老人にとっては大変面倒で介添えを必要とする場合もある。こうした問題を解決するため前面部にバックルを取り付けないでウエスト調整を行なえるようにしたウエスト調整ベルトが提案されている。
【０００４】
例えば、特許文献１には、弾性ベルトの両端部間にベルト幅方向上向き解放の支持ピンを有するベルト支持リングを１個挿通し、該弾性ベルトの両端部同じ側に弾性ベルトの伸縮方向に対し直交する方向に開閉自在な係合爪を有するクリップを取付けたズボン類のウエスト長さ調整ベルトが開示されている。しかし、この方法ではクリップが身体に接触して違和感をおぼえる。
【０００５】
また、特許文献２には、先端側にズボンの前方のベルト通しに係止するストッパー部を設けると共に後端側に結合具を設け、ストッパー部と結合具との間に弾性ベルトを設けた一対の半ベルトによって構成し、半ベルトのストッパー部はそれぞれベルト通しに係止し、半ベルトの各後端側に設けた結合具はズボンの後方側で結合し、ストッパー部と結合具との間を弾性ベルトの弾力により引き合うように装着するベルトが開示されている。しかし、このベルトの場合、結合具でワンタッチバックルは厚みがあり、それが腰背面側で身体に接触するため違和感をおぼえる。
【０００６】
また、これらベルトのように前面部にバックルを配さずにウエスト調整や前部開閉を容易にするだけなく、ファッション性向上のため必要に応じて前面部にバックルを配して従来のベルトと同じように使用したい場合もある。
【先行技術文献】
【特許文献】
【０００７】
【特許文献１】特開平０７−２７８９２８号公報
【特許文献２】特開２００８−９５２４８号公報
【考案の開示】
【考案が解決しようとする課題】
【０００８】
本考案は、従来技術のこうした問題点を解決するためになされたもので、その課題はズボン類の上げ下ろしや前面部の開閉の際にベルトを緩めたり締めたり、バックルに通したり外したりする作業を必要とせず、必要な時は従来のベルトのようにバックルを取り付けた使用もできるウエスト調整用のベルトを提供することにある。
【課題を解決するための手段】
【０００９】
前記課題を解決するための請求項１に記載の考案は、ベルト本体部とその両端間に着脱可能なバックル付き短ベルト部からなり、ベルト本体部は伸縮性素材にて形成した長尺ベルト帯の一端に折り返し部を形成し、他端には該端部を折り返してベルト帯の任意の位置に係止させてベルト本体部の全長を調節するアジャスターを構成し、該アジャスターの折り返し端部に角カンを介して一端側と同じ折り返し部を取り付け、各折り返し部は折り返し内側に取り付けた一対のホック式凹ボタン、凸ボタンを嵌め合わせて折り返し状態を維持するように構成してあり、バックル付き短ベルト部はバックルとその両側に取り付けた一対の短尺ベルト帯とからなり、各短尺ベルト帯におけるバックルとは反対側端部にベルト本体部の折り返し部を挿通可能な角カンを取り付けて構成してあり、バックル付き短ベルト部をベルト本体部に取り付けて使用する際は短尺ベルト帯に取り付けた角カンにベルト本体部の折り返し部を展開状態にて挿通して折り返し、ボタンを嵌め合わせて折り返し状態を維持させ、ベルト本体部のみで使用する際はベルト本体部の各折り返し部の折り返し内側にズボンの前部開閉部両側のベルト通しを挟んだ状態でボタンを嵌め合わせて折り返し状態を維持させることを特徴とするベルトである。
【００１０】
このような構成のベルトは、バックル付き短ベルト部をベルト本体部に取り付けた状態では従来のベルトと同じように使用できる。一方、バックル付き短ベルト部を取り外した状態では、ベルト本体部の各折り返し部をその内側にズボンの前部開閉部両側のベルト通しを挟んだ状態で折り返し、その状態でホック式凹ボタン、凸ボタンを嵌め合わせて折り返し状態を維持させることによりウエスト調整ベルトとして使用できる。このようにして使用する場合は前面にベルトが配置されないためズボン類の上げ下ろしや前面部の開閉の際にベルトを緩めたり締めたり、バックルに通したり外したりする必要がない。このため、例えば低年齢の児童や老人にとってズボンの開閉操作が簡単にできる利点がある。
【００１１】
また、請求項２に記載の考案は、請求項１に記載のベルトにおいて、ベルト本体部における両端の折り返し部は、ベルト帯に非伸縮性素材からなるシート材を縫い付けて端部を延長し、該延長部のシート材の折り返し内側に一対のホック式凹ボタン、凸ボタンを取り付けて構成してあることを特徴とするベルトである。
【００１２】
このような構成にすれば、折り返し部は伸縮せず、変形も少ないのでファッション性が向上する。
【図面の簡単な説明】
【００１３】
【図１】バックル付き短ベルト部３を取り付けた状態の外観図である。
【図２】バックル付き短ベルト部３を取り外した状態の外観図である。
【図３】折り返し部５ａの折り返しを展開した状態の内面側図である。
【図４】バックル付き短ベルト部３を取り外しての使用例である。
【考案を実施するための形態】
【００１４】
以下、本考案に係るベルトの一実施形態について図面を参照して説明する。本考案に係るベルト１は図１に示すようにベルト本体部２とバックル付き短ベルト部３から構成される。バックル付き短ベルト部３はベルト本体部２の両端間に取り付けたり、取り外したりできるように構成されている。図１はバックル付き短ベルト部３を取り付けた状態の外観図、図２はバックル付き短ベルト部３を取り外した状態の外観図である。
【００１５】
ベルト本体部２は伸縮性素材にて長尺ベルト帯４を形成し、その一端側には折り返し部５ａを形成し、他端側にはアジャスター６と角カン１３を介して折り返し部５ｂを取り付けた構成になっている。図３は、一端側の折り返し部５ａの折り返しを展開した状態の内面側図である。折り返し部５ａは先端部が略三角形状で基部が長尺ベルト帯４の幅に等しい短い皮革製シート材８を、その基部を長尺ベルト帯４の端部に縫い付けて形成してある。図に示す皮革製シート材８は、同形状の薄い皮革シートを２枚重ねて縫い合わせて構成してあり、縁部の細かい点線はその縫い目である。
【００１６】
折り返し部５ａの内面側には図３に示すように一対のホック式凹ボタン９ａ、ホック式凸ボタン９ｂが小間隔をあけて取り付けてある。皮革製シート材８を２個のボタン９ａ、９ｂの中間で折り曲げ、ボタン９ａ、９ｂを嵌め合わすことで折り返し状態を維持できる。略三角形状の先端部にはボタン９ａ、９ｂの嵌め合いを外す際の便宜とファッション性を兼ねて表裏を貫く金属製小ボタン１０が取り付けてある。
【００１７】
長尺ベルト帯４の他方の端部には、アジャスター６と折り返し部５ｂが形成してある。アジャスター６はベルト本体部２の全長を調整するためのもので、長尺ベルト帯４の端部を折り返して端を長尺ベルト帯４の任意の位置に係止させるようにしたものである。係止は、端部に取り付けた金具１２で長尺ベルト帯４を挟持するよく知られた構造である。
【００１８】
アジャスター６を構成する長尺ベルト帯４の折り返し端部には角カン１３が取り付けてあり、その角カン１３に前記折り返し部５ａと同じ形状、同じ構造の折り返し部５ｂが取り付けてある。
なお、本実施形態の折り返し部５ａ、折り返し部５ｂは伸縮性素材のベルト帯４に皮革製シート材８を縫い付けて構成してあるが、伸縮性素材のベルト帯４自体を折り返して内面側に２個のボタン９ａ、９ｂを取り付ける構成としてもよい。
【００１９】
バックル付き短ベルト部２は図２に示すようにバックル１５と該バックルの両側に取り付けた短尺ベルト帯１６ａ、１６ｂとからなる。各短尺ベルト帯１６ａ、１６ｂにおけるバックル１５とは反対側端部には角カン１７ａ、１７ｂが取り付けてある。ベルト本体部２の折り返し部５ａ、５ｂを展開して角カン１７ａ、１７ｂに挿通させ、折り返してボタン９ａ、９ｂを嵌め合わすことでバックル付き短ベルト部２をベルト本体部２に取り付ける。
【００２０】
本実施形態のベルト１には２種類の使い方ができる。一つは図１に示したようにバックル付き短ベルト部３をベルト本体部２に取り付けて使用する方法であり、この場合は従来のベルトと同じように使用できる。もう一つの使い方はバックル付き短ベルト部３を取り付けないでベルト本体部２のみで使用する方法である。この場合の使い方を図４に示す。ベルト帯４を腰背面側に回し、左右両端の折り返し部５ａ、５ｂを展開してズボンの前部開閉部両側のベルト通しに通して折り返し、ベルト通しを内側に挟んだ状態でホック式凹ボタン９ａ、凸ボタン９ｂを嵌め合わせて使用する。ベルト本体部２の全長は予めアジャスター６で調整しておく。
【００２１】
このように使用することでズボンのウエストを調整することができる。また、この場合はズボン前面にベルトが配置されないためズボン類の上げ下ろしや前面部の開閉の際にベルトを緩めたり締めたり、バックルに通したり外したりする必要がない。このため、例えば低年齢の児童や老人にとってはズボンの開閉操作が簡単にできて便利である。
【符号の説明】
【００２２】
図面中、１はベルト、２はベルト本体部、３はバックル付き短ベルト部、４は長尺ベルト帯、５ａ、５ｂは折り返し部、６はアジャスター、８はシート材、９ａはホック式凹ボタン、９ｂはホック式凸ボタン、１３は角カン、１５はバックル、１６ａ、１６ｂは短尺ベルト帯、１７ａ、１７ｂは角カンを示す。
【図１】
0003163611.tif 000003
【図２】
0003163611.tif 000004
【図３】
0003163611.tif 000005
【図４】
0003163611.tif 000006